(57)【特許請求の範囲】
【請求項１】
洋風便器の後部上面に便座ボックス取付部材を固定し、該便座ボックス取付部材に便座ボックスを装着した便座ボックスの設置構造において、
該便座ボックス取付部材は、いずれも起立しており、互いに近接する方向又は互いに離反する方向に弾性変形する第１バネ板部及び第２バネ板部とを有しており、
該便座ボックスには、該第１バネ板部と係合する第１係合部と、該第２バネ板部と係合する第２係合部とが設けられ、
該第１係合部に該第１バネ板部が弾性的に係合し、該第２係合部に該第２バネ板部が弾性的に係合しており、
該便座ボックスを上方から該便座ボックス取付部材上に降ろし、前記第１係合部及び第２係合部をそれぞれ該便座ボックス取付部材の前記第１バネ板部及び第２バネ板部と係合させることにより、該便座ボックスが該洋風便器に設置され、
該便座ボックスを引き上げると、前記第１及び第２バネ板部が弾性的に変形し、前記第１及び第２係合部が該第１及び第２バネ板部から外れ、便座ボックスが該洋風便器から取り外され、
前記第１のバネ板部及び第２バネ板部はそれぞれ前記方向に沿う縦断面がく字形状となっていることを特徴とする便座ボックスの設置構造。
【請求項２】
請求項１において、前記便座ボックス取付部材は、該洋風便器の後部上面に載置される平板部と、該平板部から立ち上がる前記第１及び第２バネ板部を有し、
前記便座ボックスは、上蓋部、背板部及び底蓋部を有し、
該底蓋部に前記第１係合部が設けられ、該底蓋部の後縁と該背板部との間に前記第２バネ板部が差し込まれる間隙が形成され、該背板部に前記第２係合部が設けられていることを特徴とする便座ボックスの設置構造。
【請求項３】
請求項２において、前記第１係合部は、底蓋部から斜め後方に立ち上がる斜面部と斜め下方に立ち下がる斜面部とを備え、該２つの斜面部の交叉隅部に対し第１バネ板部が係合していることを特徴とする便座ボックスの設置構造。
【請求項４】
請求項２又は３において、前記第２係合部は開口よりなり、
く字形状の前記第２バネ板部のうち、く字の一方の斜面部と他方の斜面部とが交わってなる凸角部が、開口よりなる該第２係合部に係合していることを特徴とする便座ボックスの設置構造。
【請求項５】
請求項２ないし４のいずれか１項において、前記平板部は、前側平板部、後側平板部及びこれら前側平板部及び後側平板部の間のＷ字形断面形状の屈伸部とからなることを特徴とする便座ボックスの設置構造。
【発明の詳細な説明】
【０００１】
【発明の属する技術分野】
本発明は便座ボックスを洋風便器に取り付けるための取付構造に関するものであり、特に便座ボックスを容易に着脱することができる便座ボックスの設置構造に関するものである。
【０００２】
【従来の技術】
近年、洋風便器に人体臀部を洗浄するための温水洗浄装置を設置することが多くなってきている。
【０００３】
洋風便器に温水洗浄装置を設置する場合、洋風便器の後部上面に便座ボックスを設置し、この便座ボックス内に温水を噴出するためのノズル及び温水供給機構が組み込まれると共に、更に必要に応じて温風乾燥機構や脱臭機構等が組み込まれる。
【０００４】
このような洋風便器にあっては、とくに該洋風便器を男子小用に使用した場合には、便座ボックスの下面と洋風便器との間に尿が侵入し、臭気を発生させる原因となり易い。
【０００５】
そこで、この便座ボックスなどの便座支持部材を洋風便器に着脱可能とし、便座ボックスを取り外して洋風便器上面を入念に清掃できるようにする構造が種々提案されている。
【０００６】
便座支持部材を洋風便器に着脱自在に取り付ける簡便な構造として、実公平２−２５３５７号公報には、拡径変形可能な筒状弾性体を用いた構造が記載されている。
【０００７】
図４は、同号公報の構造を示す断面図であり、陶器製の洋風便器１に上下方向に取付孔２が貫設されている。便蓋３Ａと便座３Ｂとが軸３Ｃによって回動自在に取り付けられた便座支持部材３の下側に弾性材料よりなる敷板４が敷設されている。この敷板４から一体に筒状弾性体５が下方に突設されており、この筒状弾性体５が取付孔２に挿通されている。
【０００８】
便座支持部材３の上方からボルト６が該筒状弾性体５内に挿入されている。このボルト６の先端側は、筒状弾性体５の下端から下方に突出しており、このボルト６の先端側にナット７が螺着されている。
【０００９】
ボルト６を回してナット７を上方に螺進させると、筒状弾性体５が上下方向に押し縮められることにより拡径変形し、該筒状弾性体５が取付孔２の内周面に密着する。これにより、便座支持部材３が洋風便器１に堅固に固定される。
【００１０】
ボルト６を反対方向に回してナット７を下降させると、筒状弾性体５がその弾性によって直筒形状に復帰し、該筒状弾性体５が取付孔２に対し挿抜自在となる。そこで、便座支持部材３を洋風便器１から取り外し、洋風便器１の上面を入念に清掃することが可能となる。清掃終了後は、筒状弾性体５を取付孔２に挿入し、ナット６を締め込んで便座支持部材３を固定する。
【００１１】
上記図４の便座支持部材の取付装置にあっては、便座支持部材３を洋風便器１に対し着脱するに際しては、ボルト６を回す必要があるが、このボルト回し作業を行うには工具を用いて前かがみの中腰姿勢をとることになり、作業が面倒である。特に、通常のトイレルームは半坪又はそれ以下の狭いものであると共に、便座支持部材３の近くにロータンクが位置しており、作業しにくい。
【００１２】
特開平１０−６０９７９号には、便座ボックスの取付具をボルトによって洋風便器に固定しておき、便座ボックスを洋風便器の前方側からスライドさせて取付具に弾性力によって係止させる構造が記載されている。
【００１３】
【発明が解決しようとする課題】
上記特開平１０−６０９７９号の構造によると、便座ボックスを洋風便器の前方に引いて取り外すと共に、取り外された便座ボックスは洋風便器の前方側から後方に向かってスライドされて取付具に係止される。このため、同号の構造にあっては、洋風便器の前方に十分なスペースが必要である。このスペースが狭いと、便座ボックスを引き出したときに便座や便蓋の前端が洋風便器前方のトイレルーム壁面に突き当たることがある。また、便座ボックスを取付具に対して装着できないおそれもある。
【００１４】
本発明は、洋風便器周囲のスペースが小さいときでも便座ボックスを容易に着脱することができる便座ボックスの設置構造を提供することを目的とする。
【００１５】
【課題を解決するための手段】
本発明の便座ボックスの設置構造は、洋風便器の後部上面に便座ボックス取付部材を固定し、該便座ボックス取付部材に便座ボックスを装着した便座ボックスの設置構造において、該便座ボックス取付部材は、いずれも起立しており、互いに近接する方向又は互いに離反する方向に弾性変形する第１バネ板部及び第２バネ板部とを有しており、該便座ボックスには、該第１バネ板部と係合する第１係合部と、該第２バネ板部と係合する第２係合部とが設けられ、該第１係合部に該第１バネ板部が弾性的に係合し、該第２係合部に該第２バネ板部が弾性的に係合しており、該便座ボックスを上方から該便座ボックス取付部材上に降ろし、前記第１係合部及び第２係合部をそれぞれ該便座ボックス取付部材の前記第１バネ板部及び第２バネ板部と係合させることにより、該便座ボックスが該洋風便器に設置され、該便座ボックスを引き上げると、前記第１及び第２バネ板部が弾性的に変形し、前記第１及び第２係合部が該第１及び第２バネ板部から外れ、便座ボックスが該洋風便器から取り外され、前記第１のバネ板部及び第２バネ板部はそれぞれ前記方向に沿う縦断面がく字形状となっていることを特徴とするものである。
【００１６】
かかる便座ボックスの設置構造にあっては、便座ボックス取付部材を洋風便器に取り付けておき、便座ボックスを上方から該便座ボックス取付部材上に降ろしてその第１係合部及び第２係合部をそれぞれ便座ボックス取付部材の第１バネ板部及び第２バネ板部と係合させることにより、便座ボックスが洋風便器に設置される。逆に、便座ボックスを洋風便器から取り外すときには、便座ボックスを上方に引き上げるだけでよい。便座ボックスにある程度の力を込めて引き上げると、第１及び第２バネ板部が弾性的に変形し、第１及び第２係合部が第１及び第２バネ板部から外れ、便座ボックスが上方に引き上げられ、取り外される。
【００１７】
【発明の実施の形態】
以下、図面を参照して実施の形態について説明する。図１は実施の形態に係る便座ボックスの設置構造を示す縦断面図、図２は便座ボックス取付部材の斜視図、図３（ａ）はこの構造を備えた洋風便器の斜視図、図３（ｂ）はスイッチパネルの平面図である。
【００１８】
図３の通り、洋風便器１１の後部上面に設置された便座ボックス１０は、洋風便器１１の便鉢の後部上面に設置される本体１２と、本体１２から張り出す張出部１３とを有し、この張出部１３の上面にスイッチパネル（銘板）１４が設けられている。
【００１９】
便座ボックス本体１２には、洗浄ノズル１５，１６及び温風乾燥ファン（図示略）等が設けられている。また、この本体１２には、便座１７、便蓋１８が上下方向に回動可能に取り付けられている。１９は洋風便器１１の最後部上面に設置されたロータンクを示す。
【００２０】
張出部上面のスイッチパネル１４には、図３（ｂ）に示す如く、肛門洗浄（シャワー洗浄）、ビデ洗浄、温風乾燥等の作動をストップさせるストップスイッチ２０、肛門洗浄用操作スイッチ（シャワースイッチ）２１、ビデ洗浄用操作スイッチ２２、温風を吹き出させるドライスイッチ２３、洗浄の広がりを調整するためのワイド洗浄入／切スイッチ２４、洗浄位置前進スイッチ２５、その後退スイッチ２６、便座の温度を調整するための便座温度調節スイッチ２７、洗浄強さを調整するダイヤル２８、シャワー等の水温を調整する温水温度調節スイッチ２９等が配置されている。
【００２１】
この便座ボックス１０は便座ボックス取付部材３０によって洋風便器１１に着脱自在に取り付けられている。この実施の形態では、便座ボックス取付部材３０は、全体としてバネ鋼製の板材よりなる。この便座ボックス取付部材３０は、前側（洋風便器１０の前後方向において前側。以下、同様）に第１バネ板部３１を有し、後側に第２バネ板部３２を有し、これらの間が平板部３３，３４とこれら平板部３３，３４間のＷ字形断面形状の屈伸部３５となっている。この屈伸部３５は、便座ボックス１０を便座ボックス取付部材３０に係合させるときに前後方向に伸縮し、バネ板部３１，３２を便座ボックスに係合させ易くするためのものである。平板部３３には前後方向に長い長孔３６が２個設けられており、この長孔３６に挿通されたボルト３７が洋風便器１１の便座取付孔１１ａに挿通され、半球パッキン３８を介してナット３９が該ボルト３７に締め込まれることにより、該便座ボックス取付部材３０が洋風便器１１の後部上面に固定される。
【００２２】
上記の第１バネ板部３１は、平板部３４から斜め前方に立ち上がる斜面部３１ａと、該斜面部３１ａの上端から斜め後方に立ち上がる斜面部３１ｂとを備えたものであり、前後方向の縦断面形状が略「く」字形状となっている。
【００２３】
符号３１ｃは斜面部３１ａ，３１ｂが交わる凸角部を示す。この凸角部３１ｃは、前方に向って凸となっている。
【００２４】
第２バネ板部３２は、平板部３３から垂直上方に立ち上がる起立部３２ａと、該起立部３２ａの上端から斜め後方に立ち上がる斜面部３２ｂと、該斜面部３２ｂの上端から斜め前方に立ち上がる斜面部３２ｄとを備えてなるものであり、前後方向の縦断面形状が略「く」字形状となっている。符号３２ｃは斜面部３２ｂ，３２ｄに交わる凸角部である。この凸角部３２ｃは後方に向って凸となっている。
【００２５】
便座ボックス１０は、上蓋部４１と背板部４２とが一体に合成樹脂にて射出成形され、これに対し合成樹脂製の底蓋部４３がビス留めにより固着されたものである。この底蓋部４３には第１係合部４４が設けられ、上記背板部４２に開口よりなる第２係合部４５が設けられている。第１係合部４４は、底蓋部４３から斜め後方に立ち上がる斜面部４４ｂと、斜め下方に立ち下がる斜面部４４ａとを備えている。この斜面部４４ａ，４４ｂの交叉隅部に対し第１バネ板部３１の凸角部３１ｃが係合可能である。
【００２６】
開口よりなる第２係合部４５には凸角部３２ｃが便座ボックス１０の内側から入り込む。なお、底蓋部４３の後縁と背板部４２との間には、起立片３２ａが差し込まれた間隙４７が形成されている。
【００２７】
この便座ボックス取付部材３０に便座ボックス１０を取り付けるには、便座ボックス１０を上方から該便座ボックス取付部材３０上に降下させ、第１係合部４４と第１バネ板部３１とを係合させると共に、第２バネ板部３２を間隙４７から便座ボックス１０内に差し込み、その凸角部３２ｃを開口よりなる第２係合部４５に係合させるだけでよい。
【００２８】
なお、バネ板部３１の凸角部３１ｃが第１係合部４４に嵌まり、バネ板部３２の凸角部３２ｃが該第２係合部４５に嵌まるときには、バチンという弾発音と軽い衝撃が発生するので、便座ボックス１０の装着完了を音や触感で確認することができる。
【００２９】
便座ボックス１０を取り外すには、該便座ボックス１０を上方にやや力を込めて引き上げ、バネ板部３１，３２を係合部４４，４５から外して便座ボックス１０を持ち上げるだけでよい。
【００３０】
このため、便座ボックス１０の着脱がきわめて簡単である。また、便座ボックス１０を上下させて着脱するため、洋風便器１１の前方のスペースが狭くても便座ボックス１０を容易に着脱することができる。
【００３１】
なお、上記実施の形態では、背板部４２から凸角部３２ｃが突出しているので、便座ボックス１０を取り外すときには該凸角部３２ｃを便座ボックス１０内に押し込んで第２係合部４５との係合を解除し、上方へ楽に持ち上げることができる。この凸角部３２ｃは便座ボックス１０の背面から突出するため、目立たず、便座ボックスの美観を損なうことがないと共に、無用な悪戯を受けることもない。
【００３２】
上記実施の形態では、バネ板部３１，３２は前後方向に弾性変形するものとなっているが、洋風便器の左右方向に弾性変形するものであってもよい。また、バネ板部３１，３２は互いに離反方向に復元しようとして便座ボックス１０と係合しているが、互いに接近方向に復元しようとして便座ボックス１０と係合してもよい。
【００３３】
上記実施の形態では、第２バネ板部３２と、開口よりなる第２係合部４５は１個ずつ設けられているが、複数個ずつ（例えば便座ボックス１０の背面の左右に１個ずつ）設けられてもよい。第１バネ板部３１と第１係合部も複数個ずつ設けられてもよい。
【００３４】
【発明の効果】
以上の通り、本発明の便座ボックスの設置構造によると、洋風便器周囲のスペースが小さくても便座ボックスをトイレルームの壁にぶつけたりすることなく容易に着脱することができる。
【図面の簡単な説明】
【図１】  実施の形態に係る便座ボックスの設置構造を示す断面図である。
【図２】  便座ボックス取付部材を示す断面図である。
【図３】  便座ボックス付き洋風便器を示す斜視図とスイッチパネルの平面図である。
【図４】  従来例を示す断面図である。
【符号の説明】
１，１１  洋風便器
２，１１ａ  取付孔
１０  便座ボックス
３０  便座ボックス取付部材
３１  第１バネ板部
３２  第２バネ板部
４１  上蓋部
４２  背板部
４３  底蓋部
４４  第１係合部
４５  第２係合部
４７  間隙
【図１】
0003944628.tif 000002
【図２】
0003944628.tif 000003
【図３】
0003944628.tif 000004
【図４】
0003944628.tif 000005